(57)【特許請求の範囲】
【請求項１】
シアン含有廃水用の水処理剤組成物であって、
（Ａ）塩化第一銅、
（Ｂ）塩化ナトリウム、塩化カルシウム、塩化マグネシウム、臭化ナトリウム及び臭化マグネシウムからなる群から選ばれる少なくとも１つ、並びに、
（Ｃ）無機酸及び／又は有機酸
を含有し、
前記無機酸は、塩酸、硫酸、硝酸、リン酸及びアミド硫酸からなる群から選択され、
前記有機酸は、クエン酸であり、
前記（Ｃ）無機酸及び／又は有機酸の前記水処理剤組成物における含有量が、１０重量％以下であり、かつ、前記水処理剤組成物のｐＨが２以下である、水処理剤組成物。
【請求項２】
前記（Ａ）塩化第一銅の前記水処理剤組成物における含有量が、１．５重量％以上である、請求項１記載の水処理剤組成物。
【請求項３】
前記（Ｂ）塩化ナトリウム、塩化カルシウム、塩化マグネシウム、臭化ナトリウム及び臭化マグネシウムからなる群から選ばれる少なくとも１つの前記水処理剤組成物における含有量が、１重量％以上４５重量％以下である、請求項１又は２記載の水処理剤組成物。
【請求項４】
前記水処理剤組成物が、さらに、（Ｄ）亜硫酸ナトリウムを含有する、請求項１から３のいずれかに記載の水処理剤組成物。
【請求項５】
前記（Ｄ）亜硫酸ナトリウムの前記水処理剤組成物における含有量が、０．０５重量％未満である、請求項４記載の水処理剤組成物。
【請求項６】
シアン含有廃水に、該廃水中のシアンとの反応当量以上の塩化第一銅となるように請求項１から５のいずれかに記載の水処理剤組成物を添加し、シアンの難溶性物質を生成させ該難溶性物質を分離することを含む、シアン含有処理排水の処理方法。
【発明の詳細な説明】
【技術分野】
【０００１】
本開示は、シアン含有廃水用の水処理剤組成物、及び、シアン含有処理廃水の処理方法に関する。
【背景技術】
【０００２】
シアンは生態系に強い悪影響を及ぼすため、シアン含有廃水を自然界にそのまま放出することはできない。シアンについては水質汚濁防止法に基づき排水基準が定められており、この基準（１ｍｇ／Ｌ以下）を満たすようにシアン除去処理を行い、無害化した廃水でなければ下水などに排出できないことになっている。また、条例により、上記排水基準値よりもさらに低い上乗せ排水基準を定めている地域も数多くある。
【０００３】
シアン含有廃水中のシアンの除去処理方法として、特許文献１は、遊離シアン及びシアン錯塩を含有する廃水に、実質的に亜鉛の添加及びオゾン処理を行うことなく、廃水中のシアンとの反応当量以上の２価の銅塩及び還元剤を添加し、難溶性の沈殿を生成させて分離することを特徴とする処理方法を開示する。
【０００４】
また、特許文献２は、シアン含有廃水に、該廃水に含まれるシアンを除去し得る量の第二鉄塩及び第一銅塩を１６：１〜１：１の重量割合で添加した後、該廃水のｐＨを６〜８に調整し、生成した水不溶性塩を廃水から除去して、該廃水中のシアンを除去することを特徴とするシアン含有廃水の処理方法を開示する。
【先行技術文献】
【特許文献】
【０００５】
【特許文献１】特開平２−４８３１５号公報
【特許文献２】特許第４６３９３０９号公報
【発明の概要】
【発明が解決しようとする課題】
【０００６】
遊離シアン及びシアン錯塩を含有する廃液（以下、「シアン含有廃液」という）で、シアンと難溶性の沈殿を形成するのは、一価の銅塩である。そこで、シアン含有廃水を簡便に処理するために、一価の銅塩を含有する水処理剤組成物を調製したところ、沈殿、にごり、又はその両方が発生し、製剤として安定性の向上が必要であるという問題が見出された。
【０００７】
本開示は、一又は複数の実施形態において、安定性が向上した、一価の銅塩を含有するシアン含有廃水用の水処理剤組成物を提供する。
【課題を解決するための手段】
【０００８】
本開示は、一態様において、シアン含有廃水用の水処理剤組成物であって、
（Ａ）塩化第一銅、
（Ｂ）アルカリ金属塩化物、アルカリ金属臭化物、アルカリ土類金属塩化物、及びアルカリ土類金属臭化物からなる群から選ばれる少なくとも１つ、並びに、
（Ｃ）無機酸及び／又は有機酸
を含有し、
前記（Ｃ）無機酸及び／又は有機酸の前記水処理剤組成物における含有量が、１０重量％以下であり、かつ、前記水処理剤組成物のｐＨが２以下である水処理剤組成物（以下、「本開示に係る水処理剤組成物」ともよぶ）に関する。
【０００９】
本開示は、その他の一態様において、シアン含有廃水に、該廃水中のシアンとの反応当量以上の塩化第一銅となるように本開示に係る水処理剤組成物を添加し、シアンの難溶性物質を生成させ該難溶性物質を分離することを含む、シアン含有廃水の処理方法に関する。
【発明の効果】
【００１０】
本開示のシアン含有廃水用の水処理剤組成物は、一又は複数の実施形態において、沈殿及び濁りが抑制され、製剤としての安定性が向上するという効果を奏しうる。本開示のシアン含有廃水用の水処理剤組成物は、一又は複数の実施形態において、さらに、取扱性が向上するという効果を奏し得る。
【図面の簡単な説明】
【００１１】
【図１】図１は、シアン含有廃水の処理方法に用いられるシアン含有廃水の処理装置の一例を示す概略模式図である。
【発明を実施するための形態】
【００１２】
本開示は、シアン含有廃水を処理するために第一銅塩を含有する製剤を調製した場合に濁りや沈殿が発生するという問題が、アルカリ金属塩化物及び酸を所定量含有させることにより解消されうるという知見に基づく。
【００１３】
［シアン含有廃水］
本開示において処理対象となるシアン含有廃水としては、製鉄工場、化学工場、メッキ工場、コークス製造工場、金属表面処理工場などから排出される廃水が挙げられ、一又は複数の実施形態において、金属のシアン化合物、シアンイオン、シアン錯塩、シアノ錯イオンなどを含むシアン含有廃水が挙げられる。本開示に係る水処理剤組成物は、一又は複数の実施形態において、コークス炉廃水のような緩衝作用の強いシアン含有廃水の処理をも好適に行なうことができる。
【００１４】
［成分Ａ：塩化第一銅］
本開示に係る水処理剤組成物における成分Ａは、塩化第一銅である。一価の銅イオンは、廃水中の遊離シアンやシアン錯塩等と接触して難溶性物質を形成する。該難溶性物質は、一又は複数の実施形態において、沈殿である。該難溶性物質を除去することで、廃水中からシアンを除去できる。
【００１５】
本開示に係る水処理剤組成物における成分Ａの含有量は、一又は複数の実施形態において、該組成物の安定性向上の点から、好ましくは１．５重量％以上、より好ましくは５重量％以上１５重量％以下である。
【００１６】
［成分Ｂ：アルカリ金属塩化物等］
本開示に係る水処理剤組成物における成分Ｂは、アルカリ金属塩化物、アルカリ金属臭化物、アルカリ土類金属塩化物、及びアルカリ土類金属臭化物からなる群から選ばれる少なくとも１つであり、例えば、塩化ナトリウム、塩化カルシウム、塩化マグネシウム、臭化ナトリウム、及び臭化マグネシウムなどが挙げられる。成分Ｂは一種類であってもよく、二種類以上であってもよい。本開示に係る水処理剤組成物における成分Ｂは、一又は複数の実施形態において、該組成物の安定性向上の点から、アルカリ金属塩化物及びアルカリ土類金属塩化物からなる群から選ばれる少なくとも１つであることが好ましい。アルカリ金属塩化物及びアルカリ土類金属塩化物としては、一又は複数の実施形態において、塩化ナトリウム、塩化カルシウム、及び塩化マグネシウムが挙げられる。
【００１７】
本開示に係る水処理剤組成物における成分Ｂの含有量は、一又は複数の実施形態において、該組成物の安定性向上の点から、好ましくは１重量％以上４５重量％以下、より好ましくは１重量％以上３５重量％以下である。
【００１８】
［成分Ｃ：酸］
本開示に係る水処理剤組成物における成分Ｃは、無機酸、有機酸、又は無機酸及び有機酸の組み合わせである。成分Ｃは一種類であってもよく、二種類以上であってもよい。無機酸としては、一又は複数の実施形態において、塩酸、硝酸、及び硫酸が挙げられ、有機酸としては、一又は複数の実施形態において、オキシカルボン酸、多価カルボン酸、アミノポリカルボン酸、及びアミノ酸が挙げられる。
【００１９】
本開示に係る水処理剤組成物における成分Ｃの含有量は、一又は複数の実施形態において、該組成物の安定性向上の点から、好ましくは該水処理剤組成物のｐＨが２以下となる量である。本開示に係る水処理剤組成物における成分Ｃの含有量は、一又は複数の実施形態において、該組成物の取扱性向上の点から、好ましくは劇物に指定されない濃度であり、より好ましくは１０重量％以下、さらに好ましくは５重量％以下、さらにより好ましくは１重量％以下である。
【００２０】
［成分Ｄ：亜硫酸ナトリウム］
本開示に係る水処理剤組成物は、一又は複数の実施形態において、該組成物の安定性向上の点から、成分Ｄとして亜硫酸ナトリウム又は水溶液中で亜硫酸ナトリウムを生成する化合物（重亜硫酸ナトリウムなど）を含有してもよい。
【００２１】
本開示に係る水処理剤組成物における成分Ｄの含有量は、一又は複数の実施形態において、該組成物の安定性向上の点から、好ましくは１重量％以下、より好ましくは０．１重量％以下、さらに好ましくは０．０１重量％以下、さらにより好ましくは０．００５重量％以下である。
【００２２】
［成分Ｅ：水］
本開示に係る水処理剤組成物は、上述の成分Ａ〜Ｃ又はＡ〜Ｄ以外は水（成分Ｅ）であってよい。水は、工業用水、水道水、蒸留水、イオン交換水、又は超純水等が使用され得る。あるいは、本開示に係る水処理剤組成物は、該組成物の安定性を阻害しない範囲で、成分Ａ〜Ｅ以外に下記のその他の成分を含んでもよい。
【００２３】
［その他の成分］
本開示に係る水処理剤組成物は、本発明の効果を阻害しない範囲で、防錆剤、腐食防止剤、スケール分散剤、スライムコントロール剤などの公知の薬剤を併用してもよい。
【００２４】
［ｐＨ］
本開示に係る水処理剤組成物は、該組成物の安定性向上の点から、ｐＨが２以下であり、好ましくは１．７以下である。
【００２５】
本開示に係る水処理組成物は、一又は複数の実施形態において、濃縮物として流通してもよい。本開示に係る水処理組成物の濃縮物は、一又は複数の実施形態において、使用時に上記成分Ａ〜Ｄが上述した含有量になるように希釈して使用することができる。
【００２６】
[水処理剤組成物の調製]
本開示に係る水処理剤組成物は、上記成分Ａ〜Ｅを混合することで調製できる。本開示に係る水処理剤組成物の調製の一又複数の実施形態において、より安定性の高い水処理剤組成物を得るために、窒素ガスによるバブリング処理をしてもよい。
【００２７】
本開示に係る水処理剤組成物は、一又は複数の実施形態において、ポリタンク等の容器内に入れて保管してもよいし、貯蔵タンクやコンテナ等に入れてその状態で使用してもよい。
一又複数の実施形態において、ポリタンク等の容器内でより長期間安定性を保った状態で保管可能にする観点から、本開示に係る水処理剤組成物をポリタンク等の容器に導入した後、容器の空間内を窒素又はアルゴン等の不活性ガスでパージ（置換）してもよい。よって、本開示に係る水処理剤組成物の一又は複数の実施形態として、不活性ガスでパージされた容器に配置された形態が挙げられる。
一又複数の実施形態において、貯蔵タンクやコンテナ等に入れてより長期間安定性を保った状態で使用可能にする観点から、本開示に係る水処理剤組成物を貯蔵タンクやコンテナ等に導入した後、窒素又はアルゴン等の不活性ガスによって貯蔵タンクやコンテナの空間内を大気圧よりも微加圧状態（１〜５ｋＰａ）にしてもよい。微加圧状態は、一又は複数の実施形態において、貯蔵タンクやコンテナに配置した不活性ガスボンベにレギュレーター（精密圧力調整器）及びニードルバルブ付き流量計を取り付けることにより維持することができる。よって、本開示に係る水処理剤組成物の一又は複数の実施形態として、微加圧状態に維持された容器に配置された形態が挙げられる。
【００２８】
本開示は、一態様において、上記成分Ａ〜Ｃ、必要に応じて成分Ｄ及びＥを混合することを含む、シアン含有廃水用の水処理剤組成物の調製方法に関する。本開示に係る水処理剤組成物の調製方法は、一又は複数の実施形態において、混合した組成物をポリタンク等の容器に配置すること、及び組成物を配置した容器内を不活性ガスでパージすることを含んでいてもよい。また、本開示に係る水処理剤組成物の調製方法は、一又は複数の実施形態において、上記成分Ａ〜Ｃ、必要に応じて成分Ｄ及びＥを混合して得られた組成物が配置された貯蔵タンク又はコンテナ等の空間内を、不活性ガスによって大気圧よりも微加圧状態にすることを含んでいてもよい。微加圧状態としては、一又は複数の実施形態において、大気圧よりも１〜５ｋＰａ又は２〜５ｋＰａ加圧した状態が挙げられる。
【００２９】
［シアン含有廃水の処理方法］
本開示に係る水処理剤組成物は、シアン含有廃水のシアン除去処理に使用できる。したがって、本開示は、一態様において、シアン含有廃水の処理方法であって、シアン含有廃
水に、該廃水中のシアンとの反応当量以上の塩化第一銅となるように本開示に係る水処理剤組成物を添加し、シアンの難溶性物質を生成させ該難溶性物質を分離することを含む。
【００３０】
本開示に係る処理方法おいて処理対象となるシアン含有廃水におけるシアンの含有量は、特に限定されないが、全シアン濃度で２〜１００ｍｇ／Ｌの廃水を好適に処理することができる。このようなシアン含有廃水を処理する場合には、一又は複数の実施形態において、シアンとの反応当量以上の塩化第一銅となるように本開示に係る水処理剤組成物をシアン含有廃水に添加することが挙げられ、あるいは、塩化第一銅を４〜１０００ｍｇ／Ｌ、好ましくは１０〜１００ｍｇ／Ｌとなるように、本開示に係る水処理剤組成物をシアン含有廃水に添加することが挙げられる。
【００３１】
本開示に係る水処理方法は、一又複数の実施形態において、本開示に係る水処理剤組成物が導入された貯蔵タンク又はコンテナ内を、不活性ガスによって大気圧よりも微加圧状態とし、その状態で本開示に係る水処理剤組成物をシアン含有廃水に添加することを含んでいてもよい。
【００３２】
本開示に係るシアン含有廃水の処理方法を、シアン廃水の処理装置の一例を示す概略模式図（図１）を用いて具体的に説明するが、この発明は本発明を限定するものではない。
処理対象となるシアン含有廃水（図中、実線矢印で示す）は、Ａ点においてシアン濃度が測定され、反応処理槽１に送られ、シアン濃度等の測定値に基づいて、処理剤組成物槽２から本開示に係る水処理剤組成物が添加される。反応処理槽１においてシアン含有廃水を撹拌しつつ、所定時間滞留させた後、生成した水難溶性塩を含むシアン含有廃水を、反応処理槽１の下方からシックナー３に送る。シックナー３では、水難溶性塩の生成反応により沈降させて、シックナー３の下方から固形分を回収する。一方、シックナー３の上方から上澄液を排出させ、Ｂ点において上澄液のシアン濃度を測定し、測定値が排水基準値あるいは上乗せ排水基準値以下であることを確認した後、上澄液を排水する。なお、上記の処理排水を再利用することは、何ら差し支えない。
【００３３】
すなわち、本開示に係るシアン含有廃水の処理方法に用いることができるシアン含有廃水の処理装置は、基本的に本開示に係る水処理剤組成物を添加するための添加剤槽、水難溶性塩を生成させるための反応槽、前記水難溶性塩を回収するための沈殿槽及びこれらを連結する配管、撹拌手段、ポンプなどからなる。前記の反応槽と沈殿槽とを兼用することもでき、このような場合にはシックナーなどの装置を用いることができる。
【実施例】
【００３４】
この発明を実施例により具体的に説明するが、この発明はこれらの実施例により限定されるものではない。
【００３５】
［水処理剤組成物の調製と外観評価確認試験］
２００ミリリットル容のビーカーに水を加え、表２記載のアルカリ（土類）金属の塩化物又は臭化物、酸、また必要に応じて亜硫酸ナトリウム又はヨウ化カリウムの順に所定量となるように加えて水溶液とし、窒素バブリングを行いながらスターラーで１０分間撹拌した。その後、塩化第一銅を加えて３０分間の撹拌を行なったものを水処理剤組成物とした。得られた水処理剤組成物をガラス瓶に移し替えてから1時間保管後の外観の観察を行
なった。外観の評価は下記表１の基準とした。なお表２中の各成分の数字はすべて重量％で、残部は水である。
【００３６】
【表１】
0006797370.tif 000002
【００３７】
【表２】
0006797370.tif 000003
【００３８】
表２の結果から、実施例の水処理剤組成物（実施例１〜１４）においては、色みを帯びているが、沈殿や濁りもなく透明であった。これに対し、比較例の水処理剤組成物（比較例１〜１１）の水処理剤組成物においては、塩化第一銅の濃度が２重量％以下であるにもかかわらず、ポンプの詰まりや濃度不足が懸念される濁りや沈殿が生じ、塩化第一銅をほとんど溶解しないものもあり、実質的に使用できない組成物であった。
【００３９】
［容器内における水処理剤組成物の安定化確認試験］
実施例９の水処理剤組成物を、容量２００ｍｌの密閉ポリ瓶にそれぞれ１００ｍｌずつ加え、容器の空間内に窒素ガスでパージしたものを、表３に示す温度で５０日間静置した。５０日後にガラス瓶に移して水処理剤組成物の外観の観察を行なった。その結果を表３に示す。
【００４０】
【表３】
0006797370.tif 000004
【００４１】
表３の結果から、５０日間保管後の水処理剤組成物は、いずれの保管温度においても、保管前と同様の外観が維持され、製剤として長期間安定した状態を保っていたことが確認できた。
また、窒素パージを行わなかった以外は、上記と同様に保管及び外観の観察を行った。その結果、容器を窒素パージして保管することによって、窒素パージを行わず保管した場合と比較して、より長期間安定した状態で保管できることが確認できた。
さらに、Ｎａ2ＳＯ3（成分Ｄ）を含まない水処理剤組成物で同様の確認試験を行ったところ、Ｎａ2ＳＯ3を含まない水処理剤組成物においても同様の結果が得られた。
【００４２】
［貯蔵タンクにおける水処理剤組成物の安定化確認試験］
実施例９の水処理剤組成物を、１０００Ｌの貯蔵タンクに７５０Ｌ加えて貯蔵タンクの空間内を窒素ガスでパージした後、さらに窒素により微加圧状態（３ｋＰａ）を保ちながら、当該水処理剤組成物を１００Ｌ／日の流量で引き抜き使用した（７日間）。
【００４３】
その結果、７日間、良好な状態でタンクから引き抜き使用することができた。また、引き抜き使用終了後（引き抜き使用開始から７日後）、貯蔵タンク内の水処理剤組成物の外観を確認したところ、使用開始前と同様の褐色の透明液であった。
また、貯蔵タンクに（空気）穴を開けて微加圧状態としなかった以外は、上記と同様に使用した。その結果、微加圧状態で使用することによって、微加圧状態にしなかった場合と比較して、水処理剤組成物の安定性に優れ、かつ良好に使用できることが確認できた。
また、Ｎａ2ＳＯ3（成分Ｄ）を含まない水処理剤組成物で同様の試験を行ったところ、Ｎａ2ＳＯ3を含まない水処理剤組成物においても同様の結果が得られた。
【００４４】
［シアンの除去効果の確認］
実施例２及び９の水処理剤組成物につき、下記条件でシアン除去実験を行った。
【００４５】
（シアン除去実験の条件）
某製鉄所の２系統のコークス炉廃水ラインより採取したシアン含有廃液Ａ（遊離シアン；１．６ｍｇ／Ｌ）およびシアン含有廃液Ｂ（遊離シアン；１．３ｍｇ／Ｌ）を用いた。１０００ｍＬ容のビーカーに、それぞれシアン含有廃液を１０００ｍＬ分注し、所定の薬剤濃度（Ｃｕ+濃度）になるように実施例２及び実施例９の水処理剤組成物を添加し、１３０ｒｐｍにて３０分間スターラーで撹拌した。その後１時間静置し、上澄み液の全シアン濃度をＪＩＳ  Ｋ０１０２に準拠して測定した。測定結果を表４に示す。
【００４６】
【表４】
0006797370.tif 000005
【００４７】
表４に示すように、製鉄所のシアン廃水に対して実施例２及び実施例９の水処理剤組成物で処理することにより、全シアン濃度を水質汚濁防止法に基づく排水基準１ｍｇ／Ｌ以下にすることができた。
【符号の説明】
【００４８】
１  反応処理槽
２  処理剤組成物槽
３  シックナー
【図１】
0006797370.tif 000006